(57)【要約】【課題】良好な美観を維持しつつも使い勝手の良い吐水装置を提供する。【解決手段】吐水装置１０は、水栓ユニットから供給される水を吐出する吐水管１２と、水栓ユニットによる水の吐出に関する吐出設定についての設定値を調節するための第１ダイヤル操作部５０および第２ダイヤル操作部５１と、吐出設定についての設定値であって予め定められた１以上の設定値から１つの設定値を選択するためのプリセット操作部５６と、を備える。平面視において、第１ダイヤル操作部５０および第２ダイヤル操作部５１は、吐水管１２の端部１２ｂよりも吐水管１２の端部１２ｃの近くに位置し、プリセット操作部５６は端部１２ｃよりも端部１２ｂの近くにおいて吐水管１２に固定されている。【選択図】図４
2016211188.tif 000002
【特許請求の範囲】
【請求項１】
水栓ユニットから供給される水を吐出する吐水管と、
前記水栓ユニットによる水の吐出に関する吐出設定についての設定値を調節するための調節操作部と、
前記吐出設定についての設定値であって予め定められた１以上の設定値から１つの設定値を選択するための選択操作部と、を備え、
平面視において、
前記調節操作部は前記吐水管の下流側端部よりも上流側端部の近くに位置し、
前記選択操作部は前記上流側端部よりも前記下流側端部の近くにおいて前記吐水管に固定されていることを特徴とする吐水装置。
【請求項２】
前記吐水管は、水平方向に回動自在に構成され、
前記調節操作部は、前記吐水管の回動に伴って移動しないよう構成されることを特徴とする請求項１に記載の吐水装置。
【請求項３】
前記吐出設定についての設定値を表示する表示部をさらに備え、
前記吐水管は、水平方向に回動自在に構成され、
前記表示部は、前記吐水管の回動に伴って移動しないよう構成されることを特徴とする請求項１または２に記載の吐水装置。
【請求項４】
静止体に固定され、前記吐水管を回動自在に保持するホルダ管をさらに備え、
前記調節操作部は前記ホルダ管に固定されることを特徴とする請求項１から３のいずれかに記載の吐水装置。
【請求項５】
水栓ユニットから供給される水を水受部に吐出する吐水管と、
前記水栓ユニットによる水の吐出に関する吐出設定についての設定値を調節するための調節操作部と、
前記吐出設定についての設定値であって予め定められた１以上の設定値から１つの設定値を選択するための選択操作部と、を備え、
平面視において、
前記調節操作部は、前記水受部の周縁部よりも外側に位置し、
前記選択操作部は、前記水受部の前記周縁部よりも内側において前記吐水管に固定されていることを特徴とする吐水装置。
【発明の詳細な説明】
【技術分野】
【０００１】
本発明は、吐水装置に関する。
【背景技術】
【０００２】
吐出される水の温度や流量などの吐出に関する設定（以下、「吐出設定」と呼ぶ）の設定値を調節できる吐水装置が知られている。従来では、例えば特許文献１に記載されるような吐水装置が提案されている。
【先行技術文献】
【特許文献】
【０００３】
【特許文献１】特開２０１０−２０３１０４号公報
【発明の概要】
【発明が解決しようとする課題】
【０００４】
特許文献１に記載される吐水装置では、吐出設定の設定値を調節するための調節操作部がシンクの奥のカウンターの部分に設けられため、調節しづらい。調節操作部を吐水管の先端に設けることも考えられるが、この場合、吐水管の先端が比較的太くなり、美観が損なわれる。
【０００５】
本発明はこうした状況に鑑みてなされたものであり、その目的は、良好な美観を維持しつつも使い勝手の良い吐水装置を提供することにある。
【課題を解決するための手段】
【０００６】
上記課題を解決するために、本発明のある態様の吐水装置は、水栓ユニットから供給される水を吐出する吐水管と、水栓ユニットによる水の吐出に関する吐出設定についての設定値を調節するための調節操作部と、吐出設定についての設定値であって予め定められた１以上の設定値から１つの設定値を選択するための選択操作部と、を備える。平面視において、調節操作部は吐水管の下流側端部よりも上流側端部の近くに位置し、選択操作部は上流側端部よりも下流側端部の近くにおいて吐水管に固定されている。
【０００７】
この態様によると、調節操作部は奥側に設けられるため、良好な美観を維持できる。一方、選択操作部は手前側に設けられる。一般に、頻繁に使用される吐出設定の設定値は数パターン程度であるため、頻繁に使用される設定値を選択操作部で選択できるようにしておけば、手前側に設けられた選択操作部の操作だけでほとんどの場合は事足りるため、使い勝手が良い。つまり、良好な美観を維持しつつも使い勝手の良い吐水装置を実現できる。
【０００８】
吐水管は、水平方向に回動自在に構成され、調節操作部は、吐水管の回動に伴って移動しないよう構成されてもよい。この場合、調節操作部は吐水管の回動に伴って移動しないため、吐水管がどの回動位置にあっても調節操作部の良好な操作性を維持できる。
【０００９】
吐出設定についての設定値を表示する表示部をさらに備えてもよい。吐水管は、水平方向に回動自在に構成され、表示部は、吐水管の回動に伴って移動しないよう構成されてもよい。この場合、表示部が吐水管の回動に伴って移動しないため、吐水管がどの回動位置にあっても表示部の良好な視認性を維持できる。
【００１０】
静止体に固定され、吐水管を回動自在に保持するホルダ管をさらに備えてもよい。調節操作部はホルダ管に固定されてもよい。
【００１１】
本発明の別の態様もまた、吐水装置である。この装置は、水栓ユニットから供給される水を水受部に吐出する吐水管と、水栓ユニットによる水の吐出に関する吐出設定についての設定値を調節するための調節操作部と、吐出設定についての設定値であって予め定められた１以上の設定値から１つの設定値を選択するための選択操作部と、を備える。平面視において、調節操作部は、水受部の周縁部よりも外側に位置し、選択操作部は、水受部の周縁部よりも内側において吐水管に固定されている。
【００１２】
この態様によると、調節操作部は水受部の外側（例えば奥側）に設けられるため、良好な美観を維持できる。一方、選択操作部は水受部の内側、すなわち使用者の近くに設けられる。一般に、頻繁に使用される吐出設定の設定値は数パターン程度であるため、頻繁に使用される設定値を選択操作部で選択できるようにしておけば、使用者の近くに設けられた選択操作部の操作だけでほとんどの場合は事足りるため、使い勝手が良い。つまり、良好な美観を維持しつつも使い勝手の良い吐水装置を実現できる。
【００１３】
なお、以上の構成要素の任意の組み合わせや、本発明の構成要素や表現を方法、システムなどの間で相互に置換したものもまた、本発明の態様として有効である。
【発明の効果】
【００１４】
本発明によれば、良好な美観を維持しつつも使い勝手の良い吐水装置を提供できる。
【図面の簡単な説明】
【００１５】
【図１】実施の形態に係る吐水装置を備えるキッチンユニットを示す斜視図である。
【図２】図１の吐水装置を拡大して示す斜視図である。
【図３】図１の吐水装置を概略的に示す構成図である。
【図４】図１の吐水装置とその周辺を示す側面図である。
【図５】図１の吐水装置とその周辺を示す平面図である。
【図６】図３制御部の機能および構成を示すブロック図である。
【図７】図６のプリセット情報記憶部のデータ構造を示す図である。
【図８】実施の形態の変形例に係る吐水装置を示す斜視図である。
【発明を実施するための形態】
【００１６】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１７】
図１は、第１の実施形態に係る吐水装置１０を備えるキッチンユニット１００を示す斜視図である。キッチンユニット１００は、カウンター４に設けられるシンク２と、カウンター４上に設置される吐水装置１０と、を備える。
【００１８】
図２は、図１の吐水装置１０を拡大して示す斜視図である。図３は、図１の吐水装置１０を概略的に示す構成図である。吐水装置１０は、吐水管１２と、ホルダ管１４と、水栓ユニット２８（図２では不図示）と、操作装置３０と、を含む。ホルダ管１４は、カウンター４（図２、３では不図示）に取り付けられ、吐水管１２を保持する。吐水管１２は、水栓ユニット２８そしてホルダ管１４から供給される水をシンク２に吐出する。
【００１９】
水栓ユニット２８は、給水流路３２と、給湯流路３４と、湯水混合部３６と、吐出流路３８と、流量調節部４０と、温度センサ４４と、を備える。給水流路３２は、上水道（不図示）に接続され、水（冷水）を湯水混合部３６に供給する。給湯流路３４は、給湯器（不図示）に接続され、給湯器で温められた水（湯水）を湯水混合部３６に供給する。湯水混合部３６は、給水流路３２と給湯流路３４に接続される。湯水混合部３６は、給水流路３２から供給される水（冷水）と給湯流路３４から供給される水（湯水）とを、操作装置３０によって設定された比率で混合する。
【００２０】
吐出流路３８は、一端が湯水混合部３６に接続され、他端（吐出口４２側）が吐水管１２に接続される。流量調節部４０は、吐出流路３８上に設けられ、例えばパイロット式の電動弁を含んで構成される。流量調節部４０は、操作装置３０に操作されて、吐出流路３８を開閉する。また流量調節部４０は、吐出流路３８を流れる水の流量を、操作装置３０によって設定された流量に調節する。吐出流路３８が開くと、湯水混合部３６で混合された水であって設定された流量の水が吐出流路３８を流れて吐水管１２に吐出され、吐水管１２の吐出口１２ａからシンク２に吐出される。吐出流路３８が閉じると、吐出流路３８を水が流れなくなり、吐出口１２ａからの水の吐出が止まる。
【００２１】
温度センサ４４は、吐出流路３８に設けられる。温度センサ４４は、吐出流路３８を流れる水の温度、すなわち吐出口１２ａから吐出される水の温度を測定する。温度センサ４４は、測定した温度を制御部６２に送る。
【００２２】
操作装置３０は、ユーザの操作に基づいて、水栓ユニット２８を操作する。操作装置３０は、人体検知センサ１６と、第１ダイヤル操作部５０と、第２ダイヤル操作部５１と、第１ダイヤル操作検出部５２と、第２ダイヤル操作検出部５３と、第１ダイヤル操作伝達部５４と、第２ダイヤル操作伝達部５５と、プリセット操作部５６と、プリセット操作伝達部５７と、定量吐出操作部５８と、定量吐出操作伝達部５９と、表示部６０と、制御部６２と、を含む。
【００２３】
第１ダイヤル操作部５０は、ダイヤル式すなわち回転式の操作部である。第１ダイヤル操作部５０は、通常吐出と定量吐出の流量等について調節するときに操作される。ここで、「通常吐出」とは、人体検知センサ１６が手を検出すると吐出が止まる、すなわち使用者が所定の操作をすることによって吐出が止まるモードをいう。「定量吐出」とは、設定された総量（以下、「定量吐出流量」と呼ぶ）の水が吐出されると吐出が止まる、一定量の水が吐出されると自動で吐出が止まる停止するモードをいう。通常吐出における設定流量を調節するときには、第１ダイヤル操作部５０をその回転軸方向に押し込まずに回転させる（以下、「通常回しする」と呼ぶ）。定量吐出における定量吐出流量を調節するときには、第１ダイヤル操作部５０をその回転軸方向に押し込んだ状態で回転させる（以下、「押し回しする」と呼ぶ）。
【００２４】
第２ダイヤル操作部５１は、第１ダイヤル操作部５０と同様、ダイヤル式すなわち回転式の操作部である。通常吐出および定量吐出において吐出される水の設定温度を調節するときには、第２ダイヤル操作部５１を通常回しする。
【００２５】
第１ダイヤル操作検出部５２は、例えばロータリエンコーダを含んで構成され、第１ダイヤル操作部５０に対する操作を検出する。具体的には、通常吐出の設定流量を調節するべく第１ダイヤル操作部５０が通常回しされると、第１ダイヤル操作検出部５２は、第１ダイヤル操作部５０が通常回しされたことおよびその回転量を検出する。また、定量吐出の定量吐出流量を調節するべく第１ダイヤル操作部５０が押し回しされると、第１ダイヤル操作検出部５２は、第１ダイヤル操作部５０が押し回しされたことおよびその回転量を検出する。
【００２６】
第２ダイヤル操作検出部５３は、第１ダイヤル操作検出部５２と同様、例えばロータリエンコーダを含んで構成され、第２ダイヤル操作部５１に対する操作を検出する。具体的には、設定温度を調節するべく第２ダイヤル操作部５１が通常回しされると、第２ダイヤル操作検出部５３は、第２ダイヤル操作部５１が通常回しされたことおよびその回転量を検出する。
【００２７】
第１ダイヤル操作伝達部５４は、第１ダイヤル操作検出部５２によって検出された情報（以下、「第１ダイヤル操作情報」と呼ぶ）を、有線あるいは無線により、制御部６２へ送信する。第１ダイヤル操作伝達部５４は、第１ダイヤル操作部５０が通常回しされた場合は、その旨およびその回転量を示す情報を制御部６２へ送信する。第１ダイヤル操作伝達部５４は、第１ダイヤル操作部５０が押し回しされた場合にも、その旨およびその回転量を示す情報を制御部６２へ送信する。
【００２８】
第２ダイヤル操作伝達部５５は、第２ダイヤル操作検出部５３によって検出された情報（以下、「第２ダイヤル操作情報」と呼ぶ）を、有線あるいは無線により、制御部６２へ送信する。具体的には、第２ダイヤル操作伝達部５５は、第２ダイヤル操作部５１が通常回しされた場合は、その旨およびその回転量を示す情報を制御部６２へ送信する。
【００２９】
プリセット操作部５６は、第１プリセットボタン５２ａ〜第３プリセットボタン５２ｃ（以下、これらをまとめて「プリセットボタン」とも呼ぶ）を含む。本実施の形態では、プリセットボタンは、押しボタン式の操作部である。プリセットボタンは、吐出設定についての設定値のセットであって予め定められた１以上（本実施の形態では３つ）の設定値のセットから１つの設定値のセットを選択するときに押下される。このように、プリセットボタンは設定値のセットを選択するためだけに操作されるため、プリセットボタンを押しボタン式の操作部に構成できる。そのため、第１ダイヤル操作部５０や第２ダイヤル操作部５１のようなダイヤル式の操作部に比べてプリセット操作部５６を小さく構成できる。
【００３０】
プリセット操作伝達部５７は、プリセット操作部５６に対する操作の内容を示す情報（以下、「プリセット操作情報」と呼ぶ）を、有線あるいは無線により、制御部６２へ送信する。具体的には、プリセット操作伝達部５７は、押下されたプリセットボタンを示す情報を制御部６２へ送信する。
【００３１】
人体検知センサ１６は、その近くにかざされた使用者の手を非接触で検知する。使用者は、通常吐出での吐出を開始または停止させるときに人体検知センサ１６に手をかざす。
人体検知センサ１６は、手を検知すると、制御部６２に信号を送る。
【００３２】
定量吐出操作部５８は、定量吐出での吐出を開始させるときに押下される。定量吐出操作伝達部５９は、定量吐出操作部５８が押下されると、その旨を示す定量吐出操作情報を制御部６２へ送信する。
【００３３】
表示部６０は、設定温度表示欄８２と、現在温度表示欄８４と、定量吐出流量表示欄８６と、設定流量表示欄８８と、を含む。設定温度表示欄８２には、吐水管１２の吐出口１２ａから吐出される水の設定温度が表示される。なお、設定温度表示欄８２には、第２ダイヤル操作部５１を操作することによって設定された設定温度や、プリセットボタンを押下することによって設定された設定温度が表示される。
【００３４】
現在温度表示欄８４には、吐水管１２の吐出口１２ａのから吐出されている水の実際の温度が表示される。なお、現在温度表示欄８４には、温度センサ４４によって測定された現在温度が表示される。
【００３５】
定量吐出流量表示欄８６には、定量吐出での定量吐出流量が表示される。なお、定量吐出流量表示欄８６には、第１ダイヤル操作部５０を押し回しすることによって設定された定量吐出流量や、プリセットボタンを押下することによって設定された定量吐出流量が表示される。
【００３６】
設定流量表示欄８８には、通常吐出での設定流量が表示される。本実施の形態では、設定流量はインジケータで表示される。なお、設定流量表示欄８８には、第１ダイヤル操作部５０を操作することによって設定された設定流量や、プリセットボタンを押下することによって設定された設定流量が表示される。
【００３７】
各種操作部や表示部の位置関係について説明する。図４、５は、吐水装置１０とその周辺を示す側面図および平面図である。ホルダ管１４は、カウンター４の天面４ａに直立し、吐水管１２を回動可能に、すなわち規制された所定の角度範囲（例えば１６０度）で吐水管１２が回転できるよう保持する。吐水管１２は、逆Ｕ字状のグースネック形状を有する。吐水管１２は、吐出口１２ａとは反対側（すなわち上流側）がホルダ管１４に保持される。
【００３８】
人体検知センサ１６は、吐水管１２に取り付けられる。なお、人体検知センサ１６は、筐体１５やカウンター４やその他の場所に取り付けられてもよい。
【００３９】
プリセット操作部５６は、平面視において、吐水管１２の上流側（すなわち吐出口１２ａとは反対側）の端部１２ｃよりも、吐出口１２ａ側（すなわち下流側）の端部１２ｂに近い位置において吐水管１２に固定されている。好ましくは、プリセット操作部５６は、吐水管１２の最上位部１２ｄよりも端部１２ｂ側において吐水管１２に固定される。さらに好ましくは、プリセット操作部５６は、シンク２の鉛直上方において吐水管１２に固定される。言い換えると、プリセット操作部５６は、平面視において、シンク２の環状の周縁部２ａの内側において吐水管１２に固定される。
【００４０】
また、プリセット操作部５６は、人体検知センサ１６よりも下方において吐水管１２に固定される。図４では、プリセット操作部５６は、人体検知センサ１６よりも下方で、かつ、端部１２ｂ側において吐水管１２に固定されている。この場合、プリセット操作部５６を濡れた手で操作しても人体検知センサ１６に水が垂れることがないため、人体検知センサ１６の誤検知を防ぐことができる。好ましくは、プリセット操作部５６は、人体検知センサ１６の近傍に設けられる。例えばプリセット操作部５６は、人体検知センサ１６から子供の手のひら１つ分、すなわち約１０ｃｍの範囲に設けられてもよい。この場合、プリセット操作部５６を操作してから人体検知センサ１６に手をかざすまでの手の移動距離が短いため、使い勝手が良い。
【００４１】
第１ダイヤル操作部５０および第２ダイヤル操作部５１（以下、これらをまとめて「ダイヤル操作部」とも呼ぶ）は、平面視において、端部１２ｂよりも、端部１２ｃに近い位置に設けられる。好ましくは、ダイヤル操作部は、シンク２の鉛直上方を外れた位置に設けられる。言い換えると、ダイヤル操作部は、平面視において、シンク２の周縁部２ａよりも外側の位置に設けられる。本実施の形態では、ダイヤル操作部は、ホルダ管１４に固定された筐体１５に固定される。
【００４２】
表示部６０は、吐水管１２を回動させた場合に吐水管１２に伴って移動しないよう構成される。本実施の形態では、表示部６０は、ホルダ管１４に固定された筐体１５に設けられる。
【００４３】
図６は、制御部６２の機能および構成を示すブロック図である。ここに示す各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００４４】
制御部６２は、ダイヤル操作情報受付部６４と、プリセット操作情報受付部６６と、プリセット情報登録部６８と、表示制御部７０と、人体検知情報受付部７２と、吐出制御部７４と、設定情報保持部７６と、プリセット情報保持部７８と、定量吐出操作情報受付部８０と、を含む。
【００４５】
設定情報保持部７６は、吐出口１２ａから吐出される水の設定温度（℃）と、設定流量（ｌ／ｍｉｎ）と、定量吐出流量（ｌ）と、を保持する。この設定温度、設定流量、定量吐出流量が現在設定されている吐出設定であり、吐出制御部７４は、この設定温度、設定流量、定量吐出流量の水が吐出されるよう水栓ユニット２８を操作する。
【００４６】
プリセット情報保持部７８は、プリセットボタンが押下されたときに呼び出される吐出設定を保持する。呼び出された吐出設定は、後述するように設定情報保持部７６に設定される。図７は、プリセット情報保持部７８のデータ構造を示す。プリセット情報保持部７８は、吐出設定ＩＤ７８ａと、設定温度７８ｂと、設定流量７８ｃと、定量吐出流量７８ｄと、を対応づけて保持する。吐出設定ＩＤ７８ａは、吐出設定を一意に識別するためのＩＤを示す。吐出設定ＩＤ「１」〜「３」はそれぞれ、第１プリセットボタン５２ａ〜第３プリセットボタン５２ｃに対応する。設定温度７８ｂは、吐出される水の設定温度（℃）を示す。設定流量７８ｃは、吐出される水の設定流量（ｌ／ｍｉｎ）を示す。定量吐出流量７８ｄは、定量吐出モードのときに吐出口１２ａから吐出される水の総流量である定量吐出流量（ｌ）を示す。
【００４７】
ダイヤル操作情報受付部６４は、第１ダイヤル操作伝達部５４から第１ダイヤル操作情報を受け付ける。ダイヤル操作情報受付部６４は、受け付けた第１ダイヤル操作情報に基づいて、設定情報保持部７６を更新する。第１ダイヤル操作情報が、第１ダイヤル操作部５０が通常回しされた旨およびその回転量を示す情報を含む場合、ダイヤル操作情報受付部６４は、その回転量に基づいて設定情報保持部７６の設定流量を更新する。また、第１ダイヤル操作情報が、第１ダイヤル操作部５０が押し回しされた旨およびその回転量を示す情報を含む場合、ダイヤル操作情報受付部６４は、その回転量に基づいて設定情報保持部７６の定量吐出流量を更新する。
【００４８】
また、ダイヤル操作情報受付部６４は、第２ダイヤル操作伝達部５５から第２ダイヤル操作情報を受け付ける。ダイヤル操作情報受付部６４は、受け付けた第２ダイヤル操作情報に基づいて、設定情報保持部７６を更新する。具体的には、第２ダイヤル操作情報が、第２ダイヤル操作部５１が通常回しされた旨およびその回転量を示す情報を含む場合、ダイヤル操作情報受付部６４は、その回転量に基づいて設定情報保持部７６の設定温度を更新する。
【００４９】
プリセット操作情報受付部６６は、プリセット操作伝達部５７から、プリセット操作情報を受け付ける。プリセット操作情報受付部６６は、受け付けたプリセット操作情報に基づいて、プリセット情報保持部７８から吐出設定（設定温度、設定流量、定量吐出流量）を取得し、取得した吐出設定により設定情報保持部７６を更新する。例えば、プリセット操作情報が第２プリセットボタン５２ｂが押下されたことを示す情報である場合、プリセット操作情報受付部６６は、第２プリセットボタン５２ｂに対応する吐出設定ＩＤ「２」の吐出設定（設定温度「３８（℃）」、設定流量「３．０（ｌ／ｍｉｎ）」、定量吐出流量「１．８（ｌ）」）をプリセット情報保持部７８から取得し、その吐出設定で設定情報保持部７６を更新する。このようにして、選択したプリセットボタンに対応する吐出設定が、現在の吐出設定として設定される。
【００５０】
プリセット情報登録部６８は、プリセット情報保持部７８に吐出設定を登録する。本実施形態では、プリセット情報登録部６８は、設定情報保持部７６に保持されている吐出設定（すなわち現在設定されている吐出設定）をプリセット情報保持部７８に登録する。具体的には、プリセットボタンを長押しすると、そのプリセットボタンに対応するプリセット情報保持部７８の吐出設定が更新される。例えば、第３プリセットボタン５２ｃが長押しされた場合、設定情報保持部７６に保持されている吐出設定により、プリセット情報保持部７８の吐出設定ＩＤ「３」の吐出設定が更新される。
【００５１】
表示制御部７０は、設定情報保持部７６に保持されている設定温度、設定流量、定量吐出流量を、それぞれ設定温度表示欄８２、設定流量表示欄８８、定量吐出流量表示欄８６に表示させる。表示制御部７０は、設定情報保持部７６に保持されている設定温度、設定流量、または定量吐出流量が更新された場合、すなわち設定温度、設定流量、または定量吐出流量の変更操作がされた場合、更新された設定温度、設定流量、または定量吐出流量をそれぞれ設定温度表示欄８２、設定流量表示欄８８、または定量吐出流量表示欄８６に表示させる。この際、表示制御部７０は、どの吐出設定が更新されているか（すなわちどの設定が変更されているか）をユーザが認識できる態様で各吐出設定を表示させる。例えば温度設定が変更されている場合、表示制御部７０は設定温度表示欄８２の表示の輝度を高くしたり、点滅表示させたり、色を変えて表示させてもよい。つまり、設定温度表示欄８２は、変更されている吐出設定の表示を強調表示させてもよい。
【００５２】
また表示制御部７０は、温度センサ４４によって測定された水の温度を現在温度表示欄８４に表示させる。表示制御部７０は、例えば、流量調節部４０が開弁しているときだけ現在温度表示欄８４に温度を表示させてもよい。
【００５３】
人体検知情報受付部７２は、人体検知センサ１６から信号を受け付ける。定量吐出操作情報受付部８０は、定量吐出操作伝達部５９から、定量吐出操作情報を受け付ける。
【００５４】
吐出制御部７４は、流量調節部４０に開弁指示または閉弁指示を送る。吐出制御部７４は、流量調節部４０が閉弁しているときに人体検知情報受付部７２が信号を受け付けると、流量調節部４０に開弁指示を送り、流量調節部４０を開弁させる。吐出制御部７４は特に、吐出される水の流量が設定情報保持部７６に保持されている設定流量となるように、すなわち流量調節部４０の開度が設定流量に応じた開度となるように、流量調節部４０に開弁指示を送る。また、吐出制御部７４は、吐出される水の温度が設定情報保持部７６に保持されている設定温度となるように、すなわち湯水混合部３６において混合される冷水と湯水の比率が設定温度に応じた比率となるように、湯水混合部３６に指示を送る。
【００５５】
また、吐出制御部７４は、流量調節部４０が開弁しているときに人体検知情報受付部７２が信号を受け付けると、流量調節部４０に閉弁指示を送り、流量調節部４０を閉弁させる。
【００５６】
また、吐出制御部７４は、定量吐出操作情報受付部８０が定量吐出操作情報を受け付けると、流量調節部４０に開弁指示を送り、流量調節部４０を開弁させる。吐出制御部７４は、定量吐出流量の水が吐出されると、流量調節部４０に閉弁指示を送り、流量調節部４０を閉弁させる。例えば、吐出制御部７４は、定量吐出を開始してからの時間と設定流量に基づいて、定量吐出流量の水が吐出されたかを判断してもよい。または、吐出流路３８に流量センサを設けて実際の流量を測定して判断してもよい。
【００５７】
以上のように構成された吐水装置１０の動作を説明する。使用者は、頻繁に使用する吐出設定の設定値のセットを、予めプリセットボタンに対応づけておく。使用者は、通常吐出や定量吐出の開始前あるいは通常吐出や定量吐出の開始後（すなわち水の吐出中）に、プリセットボタンを操作して予めプリセットボタンに対応づけられた吐出設定の設定値のセットの中から所望の設定値のセットを選択する。また使用者は、吐出設定の設定値を任意の設定値に調節する場合、通常吐出や定量吐出の開始前あるいは通常吐出や定量吐出の開始後（すなわち水の吐出中）に、ダイヤル操作部を操作して吐出設定の設定値を所望の設定値に調節する。これらにより、所望の温度や流量の水が吐出される。
【００５８】
以上説明した本実施の形態に係る吐水装置１０によると、端部１２ｂよりも端部１２ｃに近い位置（すなわち奥側）に吐出設定の設定値を調節するために操作されるダイヤル操作部が設けられる。これにより、ダイヤル操作部が吐水管１２、特に吐水管１２の先端側（すなわち吐出口１２ａの近く）に固定される場合に比べ、吐水管１２の見た目がすっきりする。一方、端部１２ｃよりも端部１２ｂに近い位置（すなわち手前側）には、予め登録された吐出設定の設定値のセットの中から所望の設定値のセットを選択するために操作されるプリセットボタンが設けられる。プリセットボタンは、吐出設定の設定値のセットを選択するためだけに操作されるため、例えば押しボタン式の操作部など、比較的小さい操作部に構成できる。ここで、頻繁に使用される吐出設定の設定値のセットは数パターン程度であるため、頻繁に使用される設定値のセットを選択操作部で選択できるようにしておけば、このプリセットボタンの操作だけでほとんどの場合は事足りる。したがって、奥側に設けられた操作部を操作する必要がなく、手前側に設けられた操作部を操作すればよいため、使い勝手がよい。つまり、本実施の形態に係る吐水装置１０によると、良好な美観を維持しつつも使い勝手のよい吐水装置１０を実現できる。
【００５９】
また、本実施の形態に係る吐水装置１０によると、プリセットボタンは、最上位部１２ｄよりも端部１２ｂ側において吐水管１２に固定される。そのため、濡れた手でプリセットボタンを操作したときに手から吐水管１２に伝わった水は、吐水管１２を伝って端部１２ｂ側に流れ、シンク２に落ちる。つまり、手から吐水管１２に伝わった水が端部１２ｃ側に流れてカウンター４に溜まってカウンター４が水垢で汚れるのが抑止される。
【００６０】
また、本実施の形態に係る吐水装置１０によると、プリセットボタンは、平面視において、シンク２の周縁部２ａよりも内側において吐水管１２に固定される。そのため、プリセットボタンを操作するときに手からしたたり落ちる水は、シンク２に落ちる。つまり、手からしたたり落ちた水がカウンター４に溜まってカウンター４が水垢で汚れるのが抑止される。
【００６１】
また、本実施の形態に係る吐水装置１０によると、吐出設定の設定値は操作性に優れるダイヤル操作部を操作することによって調節される。このダイヤル操作部は吐水管１２の回動に伴って移動しないよう構成される。したがって、吐水管１２が回動しても、それによって操作しづらい位置にダイヤル操作部が移動することはない。つまり、ダイヤル操作部の高い操作性を維持できる。
【００６２】
また、本実施の形態に係る吐水装置１０によると、表示部６０は吐水管１２の回動に伴って移動しないよう構成される。したがって、吐水管１２が回動しても、それによって表示内容が見づらい位置に表示部６０が移動することはない。つまり、表示部６０の高い視認性を維持できる。
【００６３】
以上、実施の形態に係る吐水装置について説明した。この実施の形態は例示であり、その各構成要素の組み合わせにいろいろな変形例が可能なこと、またそうした変形例も本発明の範囲にあることは当業者に理解されるところである。
【００６４】
（変形例１）
実施の形態では、吐水管が逆Ｕ字状のグースネック形状を有する場合について説明したが、これに限られない。例えば、吐水管は、直線形状やその他の形状を有してもよい。図８は、実施の形態の変形例に係る吐水装置１１０を示す斜視図である。図８は図２に対応する。吐水管１１２は、直線形状を有し、水平方向に延在する。設定温度や設定流量を調節するためのダイヤル操作部１５０は、端部１１２ｂよりも端部１１２ｃの近くに設けられる。プリセット操作部１５６は、予め登録された吐出設定の設定値のセットを選択するための第１プリセットボタン１５２ａ〜第６プリセットボタン１５２ｆを含む。プリセット操作部１５６は、平面視において、吐水管１１２の上流側（すなわち吐出口１１２ａとは反対側）の端部１１２ｃよりも、吐出口１１２ａ側（すなわち下流側）の端部１１２ｂに近い位置において吐水管１１２に固定されている。また、プリセット操作部１５６は、シンク２（図８では不図示）の鉛直上方において吐水管１１２に固定される。言い換えると、プリセット操作部１５６は、平面視において、シンク２の周縁部２ａよりも内側において吐水管１１２に固定される。本変形例に係る吐水装置１１０によると、実施の形態に係る吐水装置１０と同様の作用効果が奏される。
【００６５】
（変形例２）
実施の形態では、１つのプリセットボタンに、設定温度、通常吐出の設定流量、定量吐出の定量吐出流量の複数の設定値のセットが対応づけられる場合について説明したが、これに限られない。１つのプリセットボタンに１つの吐出設定だけが対応づけられてもよい。例えば、１つのプリセットボタンに設定温度だけが対応づけられてもよい。この場合、そのプリセットボタンを押下すると、設定温度だけがそのプリセットボタンに対応づけられた温度に変更される。
【００６６】
また、実施の形態では、１つのプリセットボタンに、１セットの設定値を対応づける場合について説明したが、これに限られない。１つのプリセットボタンに、複数セットの設定値が対応づけられてもよい。例えば、１つのプリセットボタンに図５のすべての設定値のセットが対応づけられてもよい。この場合、そのプリセットボタンを押下することによって設定値のセットが切り替わってもよい。
【００６７】
（変形例３）
実施の形態では、第１ダイヤル操作伝達部５４は、第１ダイヤル操作部５０が受けた操作を制御部６２を介して電気的に流量調節部４０に伝達する場合について説明した。同様に、第２ダイヤル操作伝達部５５は、第２ダイヤル操作部５１が受けた操作を制御部６２を介して電気的に湯水混合部３６に伝達する場合について説明した。しかしながらこれらに限られない。第１ダイヤル操作伝達部５４は、第１ダイヤル操作部５０が受けた操作を機械的に流量調節部４０に伝達し、それらを調節してもよい。同様に、第２ダイヤル操作伝達部５５は、第２ダイヤル操作部５１が受けた操作を機械的に湯水混合部３６に伝達し、それらを調節してもよい。
【００６８】
（変形例４）
実施の形態では、定量吐出操作部５８が押下されることによって定量吐出が開始される場合について説明したが、これに限られない。例えば定量吐出操作部５８を押下することによって吐出のモードが通常吐出モードから定量吐出モードに切り替わり、定量吐出モードのときに人体検知センサ１６に手をかざすと定量吐出が開始されてもよい。または、１つのプリセットボタンに定量吐出モードと定量吐出の定量吐出流量とが対応付けられるようにして、そのプリセットボタンを押下することによって吐出のモードが通常吐出モードから定量吐出モードに切り替わるようにしてもよい。
【００６９】
（変形例５）
実施の形態では、吐出設定を調節するための操作部として、ダイヤル式の操作部であるダイヤル操作部が筐体１５に設けられる場合について説明したが、これに限られない。吐出設定を調節するための操作部は、例えばシングルレバー式やボタン式であってもよい。また、この操作部は、例えばカウンター４や壁やその他の場所に設けられてもよい。
【００７０】
（変形例６）
実施の形態では特に言及しなかったが、現在の積算流量を表示部６０に表示してもよい。この場合、第１ダイヤル操作部５０を押し込み操作することにより、現在温度表示欄８４を現在積算流量表示欄に切り替えられるようにしてもよい。また、定量吐出モードでは定量吐出流量から吐出された分が減っていくように積算流量表示をしてもよい。
【００７１】
（変形例７）
実施の形態では、吐水装置１０がキッチンユニット１００に用いられる場合について説明したが、これに限られない。吐水装置１０は、例えば洗面台、手洗器、その他の水回り設備に用いられてもよい。
【符号の説明】
【００７２】
１０  吐水装置、  １２  吐水管、  １２ｂ  端部、  １２ｃ  端部、  ２８  水栓ユニット、  ３０  操作装置、  ５０  第１ダイヤル操作部、  ５１  第２ダイヤル操作部、  ５６  プリセット操作部。
【図１】
2016211188.tif 000003
【図２】
2016211188.tif 000004
【図３】
2016211188.tif 000005
【図４】
2016211188.tif 000006
【図５】
2016211188.tif 000007
【図６】
2016211188.tif 000008
【図７】
2016211188.tif 000009
【図８】
2016211188.tif 000010